(57)【要約】      （修正有）【課題】構成部材が少なく、構造も精巧かつシンプルで、操作がさらにしやすくなる折りたたみと展開可能な収納箱を提供する。【解決手段】矩形の箱体１と、複数の支持板２と、底板３とからなる。前記矩形の箱体は、対向する両側に配置された第一側壁１１と、もう一つの対向する両側に配置された第二側壁１２とを備える。前記二つの第一側壁と二つの第二側壁の下端の間には軟性の底面１３が連結され、前記二つの第一側壁と二つの第二側壁の上端の間は開口を形成し、前記二つの第一側壁は軟性であり、前記二つの第二側壁は硬性である。前記第一側壁と第二側壁の連結箇所は、相互に折り曲げることができる。前記支持板の一辺は、前記軟性の第一側壁の上端縁に連結され、前記支持板の長さは前記第一側壁の高さに等しい。前記底板は、箱体の底面に配置され、前記支持板と第二側壁を支える。【選択図】図２
0003171638.tif 000002
【実用新案登録請求の範囲】
【請求項１】
矩形の箱体と、複数の支持板と、底板とからなる折りたたみと展開可能な収納箱であって、
前記矩形の箱体は、対向する両側に配置された第一側壁と、もう一つの対向する両側に配置された第二側壁とを備え、
前記二つの第一側壁と二つの第二側壁の下端の間には軟性の底面が連結され、前記二つの第一側壁と二つの第二側壁の上端の間は開口を形成し、前記二つの第一側壁は軟性であり、前記二つの第二側壁は硬性であり、
前記支持板の一辺は、前記支持板を前記第一側壁に対して回転させることができるように、前記軟性の第一側壁の上端縁に連結され、
前記支持板の長さは前記第一側壁の高さに等しく、
前記支持板を軟性の第一側壁にくっつけた時、箱体を展開し直立させ固定させることができ、支持板を回転させて水平状態にした時、箱体を折りたたむことができることを特徴とする、折りたたみと展開可能な収納箱。
【請求項２】
前記底板の一辺は、前記支持板の一つにおける前記箱体に連結された辺と対向する一辺に連結されることを特徴とする、請求項１に記載の折りたたみと展開可能な収納箱。
【請求項３】
前記箱体は四つの軟性の側壁を備え、前記四つの側壁の下端の間には、軟性の底面が連結され、
前記支持板の一辺は、前記支持板を前記側壁に回転させることができるように、前記箱体の各側壁の上端縁に連結され、
前記支持板の長さは前記側壁の高さに等しく、
前記支持板を各側壁にくっつけた時、軟性の側壁を直立させ固定させることができ、前記支持板を回転させて水平状態にした時、箱体を折りたたみ平たい形状にすることができることを特徴とする、請求項１に記載の折りたたみと展開可能な収納箱。
【考案の詳細な説明】
【技術分野】
【０００１】
本考案はより操作が便利な折りたたみと展開可能な収納箱に関する。
【背景技術】
【０００２】
現在、折りたたみ可能な収納箱の種類は多い。改良式収納箱の中には、収納箱の箱体が蓋体で覆われ、箱体内の各角には真っすぐの支持バーが設けられ、支持バーによって蓋体の四つの角を支える、というタイプ収納箱がある。
【０００３】
しかしながら、従来の収納箱は、構成部材が多く且つ構造が複雑であるため、実際使用する際に使いにくく、しかも、構成部材が紛失しやすく、さらには、製造コストも高くなる。
【考案の概要】
【考案が解決しようとする課題】
【０００４】
そこで、本考案は、構成部材が少なく、構造も精巧且つシンプルで、操作がさらにしやすくなる折りたたみと展開可能な収納箱を提供することを目的とする。
【課題を解決するための手段】
【０００５】
本考案による折りたたみと展開可能な収納箱は、軟性布材からなる箱体を備え、前記箱体の内の一部の側壁に硬性の板体を結合させて適度な剛性を備えさせ、もう一つの側壁は軟性を維持し、軟性の側壁の上端縁には、適度な剛性を備える支持板を連結させる。それにより、支持板は、側壁に対して回転させることができる。支持板を回転させて箱体内に進入させ軟性の側壁にくっつけた時、箱体を展開させ直立させることができ、支持板を回転させ水平位置にし、側壁を支えられないようにした時は、軟性の側壁は折りたたむことができる。それにより、箱体の体積を小さくしてしまっておくのに便利になる。
【考案の効果】
【０００６】
本考案により、製造コストを下げることができるとともに、収納箱の構成部材が紛失しやすいという問題を解決することができる。
【図面の簡単な説明】
【０００７】
【図１】本考案の実施例１の収納箱の構造を示した斜視図である。
【図２】本考案の実施例１の収納箱の支持板を回転させて箱体内に進入させ、底板をまだ箱体内に配置させてない状態を示した斜視図である。
【図３】本考案の実施例１の収納箱の支持板を回転させて箱体内に進入させて第一側壁を支持させるとともに、底板を箱体内の底面に配置させた状態を示した斜視図である。
【図４】本考案の実施例１の収納箱の箱体を折りたたむ前に、まず、支持板を回転させて開口が平行になるようにした状態を示した斜視図である。
【図５Ａ】底板の一辺を支持板に連結させた本考案の実施例１の収納箱を折りたたむ手順を示した平面動作図である。
【図５Ｂ】底板の一辺を支持板に連結させた本考案の実施例１の収納箱を折りたたむ手順を示した平面動作図である。
【図５Ｃ】底板の一辺を支持板に連結させた本考案の実施例１の収納箱を折りたたむ手順を示した平面動作図である。
【図５Ｄ】底板の一辺を支持板に連結させた本考案の実施例１の収納箱を折りたたむ手順を示した平面動作図である。
【図６】本考案の実施例１の収納箱を折りたたむ時に、箱体をひっくり返して折りたたみを行う状態を示した斜視図である。
【図７】本考案の実施例１の収納箱の箱体を更に折り畳んだ状態を示した斜視図である。
【図８】本考案の実施例１の収納箱の箱体を折り畳んで平たい形状にした状態を示した斜視図である。
【図９】本考案の実施例２の収納箱の構造を示した斜視図である。
【図１０】本考案の実施例２の収納箱の支持板を回転させて箱体内に進入させ、底板をまだ箱体内に配置させてない状態を示した斜視図である。
【図１１】本考案の実施例２の収納箱の支持板を回転させ箱体に進入させた状態を示した斜視図である。
【図１２】本考案の実施例２の収納箱の支持板を回転させて箱体内に進入させて各側壁を支持させるとともに、底板を箱体内の底面に配置させた状態を示した斜視図である。
【図１３】本考案の実施例２の収納箱の支持板を回転させて箱体内に進入させて各側壁を支持させるとともに、底板を箱体内の底面に配置させた状態を示した斜視図である。
【図１４】本考案の実施例２の収納箱の箱体を折りたたむ前に、まず、支持板を回転させて開口が平行になるようにした状態を示した斜視図である。
【図１５】底板の一辺を支持板に連結させた本考案の実施例２の収納箱を折りたたむ手順を示した立体動作図である。
【図１６】底板の一辺を支持板に連結させた本考案の実施例２の収納箱を折りたたむ手順を示した立体動作図である。
【図１７】底板の一辺を支持板に連結させた本考案の実施例２の収納箱を折りたたむ手順を示した立体動作図である。
【考案を実施するための形態】
【０００８】
（実施例１）
図１から図８を参照する。図１から図８は、本考案の実施例１を示した図である。図１と図２に示す本考案の収納箱は、箱体１と、複数の支持板２と、底板３とからなる。その内、箱体１の実施例１は立方体であり、実施例１の箱体１は、対向する両側に配置された第一側壁１１と、もう一つの対向する両側に配置された第二側壁１２とを備える。二つの第一側壁１１と二つの第二側壁１２の下端の間には、軟性の底面１３が連結される。二つの第一側壁１１と二つの第二側壁１２の上端の間は開口を形成し、二つの第一側壁１１は軟性であり、二つの第二側壁１２は硬性である。第一側壁１１と第二側壁１２の間は機械縫いによって連結され、それにより相互に折り曲げることができる。なお、第一側壁１１と第二側壁１２と底面１３は、軟性の布材によってなるのが好ましい。第二側壁１２内には、適度な剛性の板体が包まれ、それにより、第二側壁１２は、折り曲げできなくなる。支持板２は適度な剛性を備え、各支持板２の一辺は、機械縫いによって軟性の第一側壁１１の上端縁に連結され、それにより支持板２は、第一側壁１１に対して回転させることができる。支持板２の長さは、第一側壁１１の高さにほぼ等しい。従って、支持板２を回転させて箱体１内に進入させ第一側壁１１にくっつけた時、軟性の第一側壁１１は支えられて直立状態に固定される。底板３の面積は、箱体１の底面１３の面積にほぼ等しい。従って、底板３を箱体１の底面１３に配置させた時、底板３の各辺により、支持板２と第二側壁１２下端付近の直立面が支えられる。
【０００９】
本考案の収納箱を展開させたい時は、図２に示すように、各支持板２を回転させて箱体１内に進入させ、第一側壁１１にくっつければ、支持板２の底辺によって底面１３が支えられる。その後、底板３を箱体１内の底面１３に配置させると、底板３の各辺によって各支持板２と第二側壁１２下端付近の直立面が支えられ（図３に図示）、展開した箱体１が固定される。箱体１を折りたたみたい時は、図４に示すように、底板３を箱体から取り出し、さらに、各支持板２を箱体の開口まで回転させ、水平状態を形成させる。そして、箱体１をひっくり返し、図６から図８に示すように、第二側壁１２が、それぞれ上方、下方に位置するようにし、さらに、軟性の第一側壁１１を折り畳むと、箱体１が折りたたまれて平たい形状になる。
【００１０】
次に図５Ａから図５Ｄを参照する。図５Ａから図５Ｄは、底板３の一辺を支持板２に連結させた本考案の実施例１の収納箱を折りたたむ手順を示した平面動作図である。底板３の一辺は、機械縫いによって支持板２の一つに連結される。各支持板２を第一側壁１１にくっつけ、且つ底板３を回転させて底面１３に配置させた時、支持板２によって軟性の第一側壁１１が支えられ、底板３の各辺によって各支持板２と各第二側壁１２の下端付近の直立面が支えられる（図５Ａに図示）。箱体１を折りたたむ時は、底板３と支持板２を回転させ（図５Ｂに図示）、さらに、支持板２と底板３を箱体の開口まで回転させ、水平状態を形成させ（図５Ｃと図５Ｄに図示）、図６から図８に示すように、箱体を折りたたんで平たい形状にする。以上により、しまっておくのに便利になる。
【００１１】
（実施例２）
図９から図１７を参照する。図９から図１７は、実施例２を示した図である。図９と図１０に示す本考案の収納箱の実施例２は、箱体１と、複数の支持板２と、底板３と、からなる。その内、箱体１の実施例２は長方体である。実施例の箱体１は、四つの軟性の側壁１１Ａを備え、側壁１１Ａの下端の間には軟性の底面１３が連結される。側壁１１Ａの上端の間は開口を形成し、各側壁１１Ａの間は機械縫いによって連結され、相互に折り曲げることができる。なお、側壁１１Ａと底面１３は軟性の布材からなるのが好ましい。支持板２は適度な剛性をもち、各支持板２の一辺は、機械縫いによって軟性の側壁１１Ａ上端縁に連結され、それにより、支持板２を側壁１１Ａに対して回転させることができる。支持板２の長さは、側壁１１Ａの高さとほぼ同じである。従って、支持板２を回転させて箱体１内に進入させ、側壁１１Ａにくっつけた時、軟性の側壁１１Ａは支えられて直立状態になる。底板３の面積は箱体１の底面１３の面積とほぼ同じである。従って、底板３を箱体１の底面１３に配置させた時、底板３の各辺により支持板２の下端付近の直立面が支えられる。
【００１２】
本考案の実施例２の収納箱を展開させたい時は、図１０と図１１に示すように、各支持板２を回転させて箱体１内に進入させ、側壁１１Ａにくっつけさせると、支持板２の底辺によって底面１３が支えられる。その後、底板３を箱体１内の底面１３に配置させると、底板３の各辺によって各支持板２下端付近の直立面が支えられ（図１２と図１３に図示）、箱体１の展開が固定される。箱体１を折りたたみたい時は、図１４に示すように、底板３を箱体から取り出し、さらに、各支持板２を箱体の開口まで回転させ、水平状態を形成させる。そして、箱体１をひっくり返し、図１５から図１７に示すように、側壁１１Ａの内の二つがそれぞれ上方、下方に位置するようにし、さらに、側壁の内残りの二つを折り畳むと、箱体１が折りたたまれて平たい形状になる。
【００１３】
また、図９に示す本考案の実施例１の収納箱は、箱体１の側壁１１Ａの一つの上端縁に硬性の上蓋１４を連結させることができる。上蓋１４の内側面には第一固定部材１４１が設けられ、箱体１の外側面には、第一固定部材１４１と結合できる第二固定部材１４２が設けられ、箱体１を直立させた後、上蓋１４で箱体１上方の開口の蓋をすることができ、さらに、第一固定部材１４１と第二固定部材１４２によって固定することができる。第一固定部材１４１と第二固定部材１４２は、雄面ファスナーと雌面ファスナー（俗称マジックテープ（登録商標））にすることができ、また、雄ボタン、雌ボタンにすることもできる。
【符号の説明】
【００１４】
１      箱体
１１    第一側壁
１１Ａ  側壁
１２    第二側壁
１３    底面
１４    上蓋
１４１  第一固定部材
１４２  第二固定部材
２      支持板
３      底板
【図１】
0003171638.tif 000003
【図２】
0003171638.tif 000004
【図３】
0003171638.tif 000005
【図４】
0003171638.tif 000006
【図５Ａ】
0003171638.tif 000007
【図５Ｂ】
0003171638.tif 000008
【図５Ｃ】
0003171638.tif 000009
【図５Ｄ】
0003171638.tif 000010
【図６】
0003171638.tif 000011
【図７】
0003171638.tif 000012
【図８】
0003171638.tif 000013
【図９】
0003171638.tif 000014
【図１０】
0003171638.tif 000015
【図１１】
0003171638.tif 000016
【図１２】
0003171638.tif 000017
【図１３】
0003171638.tif 000018
【図１４】
0003171638.tif 000019
【図１５】
0003171638.tif 000020
【図１６】
0003171638.tif 000021
【図１７】
0003171638.tif 000022